(57)【要約】  本装置は、ハウジングと、挿入部と、第1フェルールと、第2フェルールと、第1ボールレンズと、第2ボールレンズと、第1接点ピンと、第2接点ピンと、第1接点ソケットと、第2接点ソケットと、位置合わせピンと、位置合わせソケットとを含む。ハウジングは、第1キーと第2キーとを有する。挿入部は、ハウジング内に取り付けられる。第1フェルールは、挿入部内に取り付けられる。第2フェルールは、挿入部内に取り付けられる。第1ボールレンズは挿入部内に取り付けられ、第1ボールレンズは、第1フェルールと光学的に連通している。第2ボールレンズは挿入部内に取り付けられ、第2ボールレンズは、第2フェルールと光学的に連通している。第1接点ピンおよび第2接触ピン、ならびに第1接点ソケットおよび第2接点ソケットは、挿入部内に取り付けられる。
2009508178.tif 000002
【特許請求の範囲】
【請求項１】
第1キーおよび第2キーを有するハウジングと、
前記ハウジング内に取り付けられた挿入部と、
前記挿入部内に取り付けられた第1フェルールと、
前記挿入部内に取り付けられ、前記第1フェルールと光学的に連通している第1ボールレンズと、
前記挿入部内に取り付けられた第2フェルールと、
前記挿入部内に取り付けられ、前記第2フェルールと光学的に連通している第2ボールレンズと、
前記挿入部内に取り付けられた第1接点ピンと、
前記挿入部内に取り付けられた第1接点ソケットと、
前記挿入部内に取り付けられた第2接点ピンと、
前記挿入部内に取り付けられた第2接点ソケットと、
前記挿入部内に取り付けられた位置合わせピンと、
前記挿入部内に形成された位置合わせソケットと、を備えた装置であって、
前記第1キー、前記第2キー、前記第1ボールレンズ、前記第2ボールレンズ、前記第1接点ピン、前記第1接点ソケット、前記第2接点ピン、前記第2接点ソケット、前記位置合わせピン、および前記位置合わせソケットが、別の装置の第1キー、第2キー、第1ボールレンズ、第2ボールレンズ、第1接点ピン、第1接点ソケット、第2接点ピン、第2接点ソケット、位置合わせピン、および位置合わせソケットに対して雌雄両性的である装置。
【請求項２】
前記挿入部に取り付けられ、前記第1ボールレンズと光学的に連通している第1透明カバーと、前記第2ボールレンズと光学的に連通している第2透明カバーとをさらに備えている、請求項1に記載の装置。
【請求項３】
前記第1フェルールが、前記第1フェルールの長手方向に対して角度をなす端部を有し、前記第2フェルールが、前記第2フェルールの長手方向に対して角度をなす端部を有している、請求項2に記載の装置。
【請求項４】
前記第1キーが第1端部と第2端部とを有し、前記第2キーが第3端部と第4端部とを有し、前記第1キーの前記第1端部が前記第2キーの前記第3端部から約75度だけ離間され、前記第2キーの前記第2端部が前記第2キーの前記第4端部から約106度だけ離間されている、請求項3に記載の装置。
【請求項５】
前記位置合わせピンと前記位置合わせソケットとが第1線上にあり、第2線が前記第1線に90度で交差し、前記第2線が前記位置合わせピンおよび前記位置合わせソケットの両方から等距離にあり、前記第1接点ピンが前記第1線から約55度だけ離間され、前記第1接点ソケットが前記第1線から約55度だけ離間され、前記第2接点ピンが前記第1線から約10度だけ離され、前記第2接点ソケットが前記第1線から約10度だけ離間され、前記第1ボールレンズが前記第2線から約30度だけ離間され、前記第2ボールレンズが前記第2線から約30度だけ離間されている、請求項4に記載の装置。
【請求項６】
前記位置合わせピンが前記第1線と前記第2線との交点から約10ミリメートル離間され、前記位置合わせソケットが前記交点から約10ミリメートル離間され、前記第1ボールレンズが前記交点から約10ミリメートル離間され、前記第2ボールレンズが前記交点から約10ミリメートル離間され、前記第1接点ピンが前記交点から約10ミリメートル離間され、前記第1接点ソケットが前記交点から約10ミリメートル離間され、前記第2接点ピンが前記交点から約4.2ミリメートル離間され、前記第2接点ソケットが前記交点から約4.2ミリメートル離間されている、請求項5に記載の装置。
【請求項７】
ハウジングと、
前記ハウジング内に取り付けられた挿入部と、
前記挿入部内に取り付けられた第1光ファイバコネクタと、
前記挿入部内に取り付けられた第2光ファイバコネクタと、
前記挿入部内に取り付けられた第1接点ピンと、
前記挿入部内に取り付けられた第2接点ピンと、
前記挿入部内に取り付けられた第3接点ピンと、
前記挿入部内に取り付けられた第4接点ピンと、
前記ハウジングに取り付けられ、キーを有するカバーと、を備えた装置。
【請求項８】
前記第1光ファイバコネクタがLC基準に適合し、前記第2光ファイバコネクタがLC基準に適合している、請求項7に記載の装置。
【請求項９】
前記カバーが雄カバーである請求項8に記載の装置。
【請求項１０】
第1キーおよび第2キーを有する第1ハウジングと、
前記第1ハウジング内に取り付けられた第1挿入部と、
前記第1挿入部内に取り付けられた第1フェルールと、
前記第1挿入部内に取り付けられ、前記第1フェルールと光学的に連通している第1ボールレンズと、
前記第1挿入部内に取り付けられた第2フェルールと、
前記第1挿入部内に取り付けられ、前記第2フェルールと光学的に連通している第2ボールレンズと、
前記第1挿入部内に取り付けられた第1接点ピンと、
前記第1挿入部内に取り付けられた第1接点ソケットと、
前記第1挿入部内に取り付けられた第2接点ピンと、
前記第1挿入部内に取り付けられた第2接点ソケットと、
前記第1挿入部内に取り付けられた位置合わせピンと、
前記第1挿入部内に形成された位置合わせソケットと、を備え、前記第1キー、前記第2キー、前記第1ボールレンズ、前記第2ボールレンズ、前記第1接点ピン、前記第1接点ソケット、前記第2接点ピン、前記第2接点ソケット、前記位置合わせピン、および前記位置合わせソケットが、別の装置の第1キー、第2キー、第1ボールレンズ、第2ボールレンズ、第1接点ピン、第1接点ソケット、第2接点ピン、第2接点ソケット、位置合わせピン、および位置合わせソケットに対して雌雄両性的であり、
第2ハウジングと、
前記第2ハウジング内に取り付けられた第2挿入部と、
前記第2挿入部内に取り付けられた第1光ファイバコネクタと、
前記第2挿入部内に取り付けられた第2光ファイバコネクタと、
前記第2挿入部内に取り付けられた第3接点ピンと、
前記第2挿入部内に取り付けられた第4接点ピンと、
前記第2挿入部内に取り付けられた第5接点ピンと、
前記第2挿入部内に取り付けられた第6接点ピンと、
前記第2ハウジングに取り付けられ、第3キーを有するカバーと、
前記第1フェルールが、前記第1光ファイバコネクタと光学的に連通するように前記第1フェルールおよび前記第1光ファイバコネクタに取り付けられた第1光ファイバと、
前記第2フェルールが、前記第2光ファイバコネクタと光学的に連通するように前記第2フェルールおよび前記第2光ファイバコネクタに取り付けられた第2光ファイバと、
前記第1接点ピンが、前記第3接点ピンと電気的に連通するように前記第1接点ピンおよび前記第3接点ピンに取り付けられた第1導体と、
前記第1接点ソケットが、前記第4接点ピンと電気的に連通するように前記第1接点ソケットおよび前記第4接点ピンに取り付けられた第2導体と、
前記第2接点ピンが、前記第5接点ピンと電気的に連通するように前記第2接点ピンおよび前記第5接点ピンに取り付けられた第3導体と、
前記第2接点ソケットが、前記第6接点ピンと電気的に連通するように前記第2接点ソケットおよび前記第6接点ピンに取り付けられた第4導体とを備えている装置。
【請求項１１】
前記第1ハウジングが前記第2ハウジングに取り付けられ、前記第1ハウジングと前記第2ハウジングとのうちの一方に取り付けられたバルクヘッドプレートをさらに備えている、請求項10に記載の装置。
【請求項１２】
前記第1光ファイバコネクタがLC基準に適合し、前記第2光ファイバコネクタがLC基準に適合している、請求項11に記載の装置。
【請求項１３】
前記カバーが雄カバーである、請求項12に記載の装置。
【請求項１４】
前記第1光ファイバコネクタがLC基準に適合し、前記第2光ファイバコネクタがLC基準に適合している、請求項10に記載の装置。
【請求項１５】
前記カバーが雄カバーである、請求項14に記載の装置。
【請求項１６】
前記第1キーが第1端部と第2端部とを有し、前記第2キーが第3端部と第4端部とを有し、前記第1キーの前記第1端部が前記第2キーの前記第3端部から約75度だけ離間され、前記第2キーの前記第2端部が前記第2キーの前記第4端部から約106度だけ離間されている、請求項15に記載の装置。
【請求項１７】
前記位置合わせピンと前記位置合わせソケットとが第1線上にあり、第2線が前記第1線に90度で交差し、前記第2線が前記位置合わせピンおよび前記位置合わせソケットの両方から等距離にあり、前記第1接点ピンが前記第1線から約55度だけ離間され、前記第1接点ソケットが前記第1線から約55度だけ離間され、前記第2接点ピンが前記第1線から約10度だけ離間され、前記第2接点ソケットが前記第1線から約10度だけ離間され、前記第1ボールレンズが前記第2線から約30度だけ離間され、前記第2ボールレンズが前記第2線から約30度だけ離間されている、請求項16に記載の装置。
【請求項１８】
前記位置合わせピンが前記第1線と前記第2線との交差点から約10ミリメートル離間され、前記位置合わせソケットが前記交差点から約10ミリメートル離間され、前記第1ボールレンズが前記交差点から約10ミリメートル離間され、前記第2ボールレンズが前記交差点から約10ミリメートル離間され、前記第1接点ピンが前記交差点から約10ミリメートル離間され、前記第1接点ソケットが前記交差点から約10ミリメートル離間され、前記第2接点ピンが前記交差点から約4.2ミリメートル離間され、前記第2接点ソケットが前記交差点から約4.2ミリメートル離間されている、請求項17に記載の装置。
【請求項１９】
第1ハウジングと、
前記第1ハウジング内に取り付けられた第1挿入部と、
前記第1挿入部内に取り付けられた第1光ファイバコネクタと、
前記第1挿入部内に取り付けられた第2光ファイバコネクタと、
前記第1挿入部内に取り付けられた第1接点ピンと、
前記第1挿入部内に取り付けられた第2接点ピンと、
前記第1挿入部内に取り付けられた第3接点ピンと、
前記第1挿入部内に取り付けられた第4接点ピンと、
前記第1ハウジングに取り付けられ、第1キーを有する第1カバーと、
第2ハウジングと、
前記第2ハウジング内に取り付けられた第2挿入部と、
前記第2挿入部内に取り付けられた第3光ファイバコネクタと、
前記第2挿入部内に取り付けられた第4光ファイバコネクタと、
前記第2挿入部内に取り付けられた第5接点ピンと、
前記第2挿入部内に取り付けられた第6接点ピンと、
前記第2挿入部内に取り付けられた第7接点ピンと、
前記第2挿入部内に取り付けられた第8接点ピンと、
前記第2ハウジングに取り付けられ、第2キーを有する第2カバーと、
前記第1光ファイバコネクタが前記第3光ファイバコネクタと光学的に連通するように、前記第1光ファイバコネクタおよび前記第3光ファイバコネクタに取り付けられた第1光ファイバと、
前記第2光ファイバコネクタが前記第4光ファイバコネクタと光学的に連通するように、前記第2光ファイバコネクタおよび前記第4光ファイバコネクタに取り付けられた第2光ファイバと、
前記第1接点ピンが、前記第5接点ピンと電気的に連通するように前記第1接点ピンおよび前記第5接点ピンに取り付けられた第1導体と、
前記第2接点ピンが、前記第6接点ピンと電気的に連通するように前記第2接点ピンおよび前記第6接点ピンに取り付けられた第2導体と、
前記第3接点ピンが、前記第7接点ピンと電気的に連通するように前記第3接点ピンおよび前記第7接点ピンに取り付けられた第3導体と、
前記第4接点ピンが、前記第8接点ピンと電気的に連通するように前記第4接点ピンおよび前記第8接点ピンに取り付けられた第4導体とを備える装置。
【請求項２０】
前記第1カバーが雄カバーであり、前記第2カバーが雄カバーである、請求項19に記載の装置。
【発明の詳細な説明】
【技術分野】
【０００１】
本発明は、光電気コネクタに関する。本発明は、さらに具体的には、拡大された光ビーム性能および雌雄両性の界面を有する光電気コネクタに関する。
【背景技術】
【０００２】
拡大されたビームコネクタは、従来技術において既知である。一般に、拡大されたビームコネクタは、ハウジング内に取り付けられたボールレンズを含む。光は、光の進行の一方向に光ファイバを出て、ボールレンズに入る。光ビームがボールレンズを出ると、光ビームの断面が数倍拡大される。次に、光の拡大されたビームが、別の拡大されたビームコネクタに関連付けされる。このような筋書きでは、拡大された光ビームがボールレンズに入り、そこで最終的にはこのボールレンズを出て、特定の位置に集束する。次に、集束された光が光ファイバに入る。
【０００３】
拡大されたビーム技術の使用によって、2つのコネクタ間にいくらかの芯ずれが許され、また、埃または砂などの破片の侵入をある程度許容する。2つのボールレンズの間に破片が堆積すると、この破片は、光信号のいくらかの光学的パワーが第2ボールレンズに到達するのを妨げる。しかしながら、たとえ減少された光学的パワーのレベルではあっても、光信号はうまく伝送される。未拡大のビームコネクタが用いられた場合、破片が光信号の伝送をおそらく完全に妨げるであろう。拡大されたビームコネクタは、特許文献１に開示されている。特許文献１は、本明細書によって本明細書に援用される。
【０００４】
光電気コネクタは、当業界で既知である。光電気コネクタは、電気信号と光信号の両方の伝送を行う。ANSI/SMPTE 304M-1998(SMPTEはSociety of Motion Picture and Television Engineersの略)の基準は、突合せ継手(未拡大ビーム)技術を用いる、放送産業で使用する光電気シングルモードコネクタの解決策のためのコネクタの界面および性能条件を述べている。
【０００５】
無性コネクタは、当業界で既知である。無性コネクタは、2つのコネクタの端部が常に嵌合するため、在庫の心配を緩和し、容易な電界結合をもたらす。特許文献２は、光ファイバ無性コネクタを開示している。特許文献２に開示されている光信号の光伝送は、コネクタが別のコネクタと嵌合されているときに突合せ継手によって起こる。特許文献２は、本明細書により本明細書に援用される。
【０００６】
様々なタイプのコネクタの有利な特徴を組み込んだコネクタを提供することが望ましい。
【特許文献１】米国特許第5,247,595号
【特許文献２】米国特許第6,234,683号
【発明の開示】
【発明が解決しようとする課題】
【０００７】
本発明の目的は、光学的な接続の特徴および電気的な接続の特徴を両者とも有する装置を提供することである。
【０００８】
本発明の別の目的は、装置が別の装置に取り付け可能であり、そのため光信号および電気信号の伝送を可能にする雌雄両性の装置を提供することである。
【０００９】
本発明のさらに別の目的は、2つの装置が互いに接続されたときに、この2つの装置が、苛酷な環境における光信号の伝送を可能にするように、拡大されたビーム技術を用いる装置を提供することである。
【００１０】
本発明のさらに別の目的は、電界において容易に終端する装置を提供することである。
【００１１】
本発明のさらに別の目的は、仮パッチコードとして働くことのできる装置を提供することである。
【００１２】
本発明のさらに別の目的は、バルクヘッドに装着可能である装置を提供することである。
【課題を解決するための手段】
【００１３】
本発明の一形態では、装置は、ハウジングと、挿入部と、第1フェルールと、第2フェルールと、第1ボールレンズと、第2ボールレンズと、第1接点ピンと、第2接点ピンと、第1接点ソケットと、第2接点ソケットと、位置合わせピンと、位置合わせソケットとを含む光電気コネクタである。ハウジングは、第1キーと第2キーとを有する。挿入部は、ハウジング内に取り付けられる。第1フェルールは、挿入部内に取り付けられる。第2フェルールは、挿入部内に取り付けられる。第1ボールレンズは挿入部内に取り付けられ、第1ボールレンズは第1フェルールと光学的に連通している。第2ボールレンズは挿入部内に取り付けられ、第2ボールレンズは第2フェルールと光学的に連通している。第1接点ピンは挿入部内に取り付けられる。第2接点ピンは挿入部内に取り付けられる。第1接点ソケットは挿入部内に取り付けられる。第2接点ソケットは挿入部内に取り付けられる。位置合わせピンは挿入部内に取り付けられる。位置合わせソケットは挿入部内に形成される。この第1キー、第2キー、第1ボールレンズ、第2ボールレンズ、第1接点ピン、第1接点ソケット、第2接点ピン、第2接点ソケット、位置合わせピン、および位置合わせソケットは、別の装置の第1キー、第2キー、第1ボールレンズ、第2ボールレンズ、第1接点ピン、第1接点ソケット、第2接点ピン、第2接点ソケット、位置合わせピン、および位置合わせソケットに対して雌雄両性的である。
【００１４】
本発明の別の形態では、装置は、ハウジングと、挿入部と、光ファイバコネクタと、第2光ファイバコネクタと、接点ピンと、第2接点ピンと、第3接点ピンと、第4接点ピンと、カバーとを含む現場設置可能な光電気コネクタである。第1光ファイバコネクタは、挿入部内に取り付けられる。第2光ファイバコネクタは、挿入部内に取り付けられる。第1接点ピンは、挿入部内に取り付けられる。第2接点ピンは、挿入部内に取り付けられる。第3接点ピンは、挿入部内に取り付けられる。第4接点ピンは、挿入部内に取り付けられる。カバーはハウジングに取り付けられ、カバーはキーを有する。
【００１５】
本発明のさらに別の形態では、装置は、第1ハウジングと、第1挿入部と、第1フェルールと、第2フェルールと、第1ボールレンズと、第2ボールレンズと、接点ピンと、第2接点ピンと、第1接点ソケットと、第2接点ソケットと、位置合わせピンと、位置合わせソケットと、第2ハウジングと、第2挿入部と、第1光ファイバコネクタと、第2光ファイバコネクタと、第3接点ピンと、第4接点ピンと、第5接点ピンと、第6接点ピンと、カバーと、第1光ファイバと、第2光ファイバと、第1導体と、第2導体と、第3導体と、第4導体と、を含む光電気パッチコードである。第1ハウジングは、第1キーと第2キーとを有する。第1挿入部は、第1ハウジング内に取り付けられる。第1フェルールは、第1挿入部内に取り付けられる。第2フェルールは、第1挿入部内に取り付けられる。第1ボールレンズは第1挿入部内に取り付けられ、第1ボールレンズは第1フェルールと光学的に連通している。第2ボールレンズは第2挿入部内に取り付けられ、第2ボールレンズは第2フェルールと光学的に連通している。第1接点ピンは、第1挿入部内に取り付けられる。第2接点ピンは、第1挿入部内に取り付けられる。第1接点ソケットは、第1挿入部内に取り付けられる。第2接点ソケットは、第1挿入部内に取り付けられる。位置合わせピンは、第1挿入部内に取り付けられる。位置合わせピンソケットは、第1挿入部内に形成される。第1キー、第2キー、第1ボールレンズ、第2ボールレンズ、第1接点ピン、第1接点ソケット、第2接点ピン、第2接点ソケット、位置合わせピン、および位置合わせソケットは、別の装置の第1キー、第2キー、第1ボールレンズ、第2ボールレンズ、第1接点ピン、第1接点ソケット、第2接点ピン、第2接点ソケット、位置合わせピン、および位置合わせソケットに対して無性的である。第2挿入部は、第2ハウジング内に取り付けられる。第1光ファイバコネクタは、第2挿入部内に取り付けられる。第2光ファイバコネクタは、第2挿入部内に取り付けられる。第3接点ピンは、第2挿入部内に取り付けられる。第3接点ピンは、第2挿入部内に取り付けられる。第4接点ピンは、第2挿入部内に取り付けられる。第5接点ピンは、第2挿入部内に取り付けられる。第6接点ピンは、第2挿入部内に取り付けられる。カバーは第2ハウジングに取り付けられ、
カバーは第3キーを有する。第1フェルールが第1光ファイバコネクタと光学的に連通するように、第1光ファイバは、第1フェルールおよび第1光ファイバコネクタに取り付けられる。第2フェルールが第2光ファイバコネクタと光学的に連通するように、第2光ファイバは、第2フェルールおよび第2光ファイバコネクタに取り付けられる。第1接点ピンが第3接点ピンと電気的に連通するように、第1導体は、第1接点ピンおよび第3接点ピンに取り付けられる。第1接点ソケットが第4接点ピンと電気的に連通するように、第2導体は、第1接点ソケットおおび第4接点ピンに取り付けられる。第2接点ピンが第5接点ピンと電気的に連通するように、第3導体は、第2接点ピンおよび第5接点ピンに取り付けられる。第2接点ソケットが第6接点ピンと電気的に連通するように、第4導体は、第2接点ソケットおよび第6接点ピンに取り付けられる。
【００１６】
本発明のさらに別の形態では、装置は、各端部に同様のコネクタを有する光電気パッチコードであって、この装置は、第1ハウジングと、第1挿入部と、第1光ファイバコネクタと、第2光ファイバコネクタと、第1接点ピンと、第2接点ピンと、第3接点ピンと、第4接点ピンと、第1カバーと、第2ハウジングと、第2挿入部と、第3光ファイバコネクタと、第4光ファイバコネクタと、第5接点ピンと、第6接点ピンと、第7接点ピンと、第8接点ピンと、第2カバーと、第1光ファイバと、第2光ファイバと、第1導体と、第2導体と、第3導体と、第4導体と、を含む。第1ハウジングは、第1挿入部内に取り付けられる。第1光ファイバコネクタは、第1挿入部内に取り付けられる。第2光ファイバコネクタは、第1挿入部内に取り付けられる。第1接点ピンは、第1挿入部内に取り付けられる。第2接点ピンは、第1挿入部内に取り付けられる。第3接点ピンは、第1挿入部内に取り付けられる。第4接点ピンは、第1挿入部内に取り付けられる。第1カバーは、第1ハウジングに取り付けられ、第1カバーは第1キーを有する。第2挿入部は、第2ハウジング内に取り付けられる。第3光ファイバコネクタは、第2挿入部内に取り付けられる。第4光ファイバコネクタは、挿入部内に取り付けられる。第5接点ピンは、第2挿入部内に取り付けられる。第6接点ピンは、第2挿入部内に取り付けられる。第7接点ピンは、第2挿入部内に取り付けられる。第8接点ピンは、第2挿入部内に取り付けられる。第2カバーは第2ハウジングに取り付けられ、第2カバーは第2キーを有する。第1光ファイバコネクタが第3光ファイバコネクタと光学的に連通するように、第1光ファイバは、第1光ファイバコネクタおよび第3光ファイバコネクタに取り付けられる。第2光ファイバコネクタが第4光ファイバコネクタと光学的に連通するように、第2光ファイバは、第2光ファイバコネクタおよび第4光ファイバコネクタに取り付けられる。第1接点ピンが第5接点ピンと電気的に連通するように、第1導体は、第1接点ピンおよび第5接点ピンに取り付けられる。第2接点ピンが第6接点ピンと電気的に連通するように、第2導体は、第2接点ピンおよび第6接点ピンに取り付けられる。第3接点ピンが第7接点ピンと電気的に連通するように、第3導体は、第3接点ピンおよび第7接点ピンに取り付けら
れる。第4接点ピンが第8接点ピンと電気的に連通するように、第4導体は、第4接点ピンおよび第8接点に取り付けられる。
【００１７】
こうして、本発明は上述の目的を達成する。本発明は、一実施形態では光電気コネクタであり、第2実施形態では現場修理可能な光電気コネクタであり、第3実施形態では形状的に異なる2つのコネクタを有する光電気パッチコードであり、第4実施形態では2つの同一のコネクタを有する光電気コネクタである装置を提供する。
【００１８】
本発明は、添付の図面にともに考慮されたとき、以下の詳細な説明を参照することによってよりよく理解されるので、本発明のより完全な理解および本発明に付随する利点の多くは、容易に得られるであろう。
【発明を実施するための最良の形態】
【００１９】
ここで、複数の図において同様の参照符号が同一部品または対応する部品を示す図面、および、より具体的には、本明細書の図1〜13を参照して、本発明の実施形態が本明細書に示される。
【００２０】
図1は、本発明の第1実施形態である光電気コネクタまたは装置10の側面図である。光電気コネクタ10は、ハウジング12と、外板14と、圧力除去ブーツ16と、ケーブル17とを含む。ハウジング12は、第1キー18と、第2キー20とを含む。第1キー18はねじ山形状部3を含み、第2キー20はねじ山形状部5を含む。ケーブル17は、2つの光ファイバと4つの導電体とを含む。
【００２１】
図2は、図1の装置10の部分端面図である。図2に示すように、装置10は、挿入部40をさらに含む。挿入部40は、位置合わせピン22と、位置合わせピンソケット24と、第1光ファイバコネクタ26と、第2光ファイバコネクタ28と、補助電気接点ソケット30と、補助電気接点ピン32と、低電圧接点ソケット33と、低電圧接点ピン34とを収容する。第1光ファイバコネクタ26および第2光ファイバコネクタ28は、光信号を送信および/または受信する。低電圧接点ソケット33および低電圧接点ピン34は、情報信号の送信に用いられる電気を導通する。補助電気接点ソケット30および補助電気接点ピン32は、電気構成要素に用いられる電気を導通する。第1光ファイバコネクタ26と第2光ファイバコネクタ28とに関連付けされた光ファイバは、マルチモードの光ファイバまたはシングルモードの光ファイバのどちらかとすることが可能である。
【００２２】
図2は、また、ハウジング12の第1キー18および第2キー20のさらなる特徴を開示する。第1キー18は、一方の端部17と他方の端部19とを有する。第2キー20は、一方の端部21と他方の端部23とを有する。やはり定義されているのは、位置合わせピン22および位置合わせピンソケット24の中心点上にある線100である。線101は、線100に直角に交差し、位置合わせピン22と位置合わせピンソケット24との間の等距離に配置されるものとして定義されている。線100と線101の交点は、点102として定義されている。位置合わせピン22と位置合わせピンソケット24は、線100上にあり、点102に中心が配置される約10ミリメートルのピッチ円直径のところに配置される。
【００２３】
図3は、ハウジング12の第1キー18および第2キー20の形状を示す、図2の装置10の部分端面図である。第2キー20の一方の端部21は、実質的に75度に等しい円弧長さAだけ、第1キー18の一方の端部19から離されている。第2キー20の他方の端部23は、実質的に106度に等しい円弧長さBだけ、第1キー18の他方の端部17から離されている。第1キー18の端部17と第2キー20の端部21とは、実質的に、線101に沿い、線101に平行になっている。
【００２４】
図4は、界面要素の配置を示す図2の装置10の部分端面図である。第1光ファイバコネクタ26は、実質的に30度に等しい円弧長さCだけ、線101から離されている。第2光ファイバコネクタ28は、実質的に30度に等しい円弧長さDだけ、線101から離されている。第1光ファイバコネクタ26と第2光ファイバコネクタ28とは、点102に中心が配置される約10ミリメートルのピッチ円直径のところに配置される。低電圧接点ピン34は、実質的に10度に等しい円弧長さHだけ、線100から離されている。低電圧接点ピンソケット33は、実質的に10度に等しい円弧長さEだけ、線100から離されている。低電圧接点ピン34と低電圧接点ピンソケット33とは、点102に中心が配置される4.2ミリメートルのピッチ円直径のところに配置される。補助電気接点ソケット30は、実質的に55度に等しい円弧長さGだけ、線100から離されている。補助電気接点ピン32は、実質的に55度に等しい円弧長さFだけ、線100から離されている。補助電気接点ピン32と補助電気接点ピンソケット30とは、点102に中心が配置される10ミリメートルのピッチ円直径のところに配置される。
【００２５】
図5は、コネクタ10、およびコネクタ10の雌雄両性の形状構成を有するバルクヘッド装着可能コネクタの部分断面側面図である。この断面は、位置合わせピン24と位置合わせピンソケット23とを示す。ハウジング12は、外板14内に取り付けられる。挿入部40は、ハウジング12内に取り付けられる。位置合わせピン22は、挿入部40内に取り付けられる。位置合わせピンソケット24は、挿入部内に形成される。バルクヘッド装着可能コネクタは、外板14'と、ハウジング12'と、挿入部40'と、位置合わせピン22'と、位置合わせピンソケット24'とを含む。位置合わせピンソケット24'は、位置合わせピン22に対して相補形であり、位置合わせピン22'は位置合わせピンソケット24に対して相補形である。位置合わせピン22は、押圧的、干渉的、または摩擦的な装着、あるいは接着剤、オーバーモールド法、スナップリング、またはその他の固定方法の使用などの既知の方法によって、挿入部40内に装着可能である。同様に、挿入部40は、当業者に既知の構成要素および方法によってハウジング12内に装着される。コネクタ10を電界内でより信頼性のあるものにするために、挿入部40とハウジング12との間、および外板14上にOリングが存在する。また、外部環境の物質がコネクタ10の内部にもたらされるのを防ぐために、挿入部40内の位置合わせピンソケット24のところ、および位置合わせピン22の下にプラグが存在する。
【００２６】
図6は、コネクタ10、およびコネクタ10の雌雄両性の形状構成を有するバルクヘッド装着可能コネクタの部分断面側面図である。この断面は、補助電気接点ピンソケット30および補助電気接点ピン32を示す。補助電気接点ピンソケット30は、ソケットホルダ44内に取り付けられる。ソケットホルダ44は、挿入部40内に取り付けられる。補助電気接点ピン32は、ピンホルダ42内に取り付けられる。ピンホルダ42は、挿入部40内に取り付けられる。バルクヘッドは、補助電気接点ピンソケット30に対して相補形である補助電気接点ピン32'と、補助電気接点ピンソケット32に対して相補形である補助電気接点ピンソケット30'とを有する。補助電気接点ピン32のピンホルダ42内での取り付け、補助電気接点ピンソケット30のソケットホルダ44内での取り付け、ピンホルダ42の挿入部40内での取り付け、およびソケットホルダ44の挿入部40内での取り付けは、当業者に既知の構成要素および方法によって達成される。補助電気接点ピンソケット30および補助電気接点ピン32は、導電性の材料からなる。導電性である第1導体は、補助電気接点ピンソケット30と電気的に関連付けされる。導電性である第2導体は、補助電気接点ピン32と電気的に関連付けされる。
【００２７】
図7は、コネクタ10、およびコネクタ10の雌雄両性の形状構成を有するバルクヘッド装着可能コネクタの部分側面断面図である。この断面は、低電圧接点ピンソケット33および低電圧接点ピン34を示す。低電圧接点ピンソケット33は、ソケットホルダ35内に取り付けられる。ソケットホルダ35は、挿入部40内に取り付けられる。低電圧接点ピン34は、ピンホルダ37内に取り付けられる。ピンホルダ37は、挿入部40内に取り付けられる。バルクヘッドコネクタは、低電圧接点ピン34に対して相補形である低電圧接点ピンソケット33'と、低電圧接点ピンソケット33に対して相補形である低電圧接点ピン34'とを有する。低電圧接点ピン34のピンホルダ37内での取り付け、補助電気接点ピンソケット33のソケットホルダ35内での取り付け、ピンホルダ37の挿入部40内での取り付け、およびソケットホルダ35の挿入部40内での取り付けは、当業者に既知の構成要素および方法によって達成される。導電性である第3導体は、低電圧接点ピンソケット33と電気的に関連付けされる。導電性である第4導体は、低電圧接点ピン34と電気的に関連付けされる。
【００２８】
図8は、コネクタ10、およびコネクタ10の雌雄両性の形状構成を有するバルクヘッド装着可能コネクタの部分側面断面図である。この断面は、第1光コネクタ26および第2光コネクタ28を示す。第1光コネクタ26は、フェルール52と、フェルールホルダ54と、ボールレンズ50と、透明カバー56とを含む。第2光コネクタ28は、フェルールと、フェルールホルダと、ボールレンズと、透明カバーとを含む。バルクヘッドコネクタは、第1光コネクタ26に対して相補形である光コネクタ28'と、第2光コネクタ28に対して相補形であるもう一つの光コネクタ26'とを含む。フェルール54は、フェルールホルダ54内に取り付けられる。フェルールホルダ54は、挿入部40内に取り付けられる。ボールレンズ50は、挿入部40内に取り付けられる。透明カバー56は、挿入部40に取り付けられる。第2光コネクタ28は、同様に作製される。光ファイバは、第1光コネクタ26のフェルール52内において終端され、もう一つの光ファイバは、第2光ファイバ28のフェルール内において終端される。こうして、ボールレンズ50はフェルール52と光学的に連通しており、よって、ボールレンズ50は光ファイバと光学的に連通している。言い換えると、透明カバー56は、ボールレンズ50と光学的に連通している。第2光コネクタ28の各要素は、互いに同様に関連付けされる。フェルール52のフェルールホルダ54内での取り付け、第1光コネクタ26のフェルールホルダ54、ボールレンズ50、透明カバー56の挿入部40内または挿入部40上での取り付け、第2光コネクタ28のフェルールホルダ、ボールレンズ、透明カバーの挿入部40内または挿入部40上での取り付けは、当業者に既知の構成要素および方法によって達成される。フェルール52は、後方反射を軽減するために、フェルール52の長さ方向に対してある角度で形成された、ボールレンズ50に最も近い端部を有することができる。
【００２９】
外板14、ハウジング12、挿入部40、フェルール54、フェルールホルダ54、低電圧接点ピン34、ピンホルダ37、低電圧接点ピンソケット33、ソケットホルダ35、補助電気接点ピン32、ピンホルダ42、補助電気接点ピンソケット30、ソケットホルダ44、および位置合わせピン22は、適切なエンジニアリング材料からなる。典型的には、ハウジング12は金属材料からなり、挿入部40はARCAPなどの金属材料からなる。挿入部40が金属材料からなるため、ピンホルダ37、ソケットホルダ35、ピンホルダ42、およびソケットホルダ44は、絶縁材料からなる。しかしながら、挿入部40が絶縁材料からなる場合、ピンホルダ37、ソケットホルダ35、ピンホルダ42、およびソケットホルダ44は、組立体から除かれることができる。
【００３０】
本発明の第2実施形態が、図9および10に示されている。図9は、拡大されたビーム性能を有さない光電気コネクタ60の斜視図である。コネクタ60は、ハウジング62と、カバー63と、カバー63内のキー65とを含む。図1に示すコネクタ10と同様の拡大されたビームコネクタの現場での修理は、実施が困難である。したがって、図1に示すコネクタと同様のコネクタが故障したと仮定すると、2つの光ファイバおよび4つの導体を露出するために、ケーブル17が切断されてよい。
【００３１】
図10は、図9のコネクタ60の部分分解図である。開示されているのは、ケーブル17、端子要素32、66、68、および挿入部64である。ケーブル17は、第1光ファイバ110と、第2光ファイバ111と、第1導体112と、第2導体113と、第3導体114と、第4導体115とを含む。ケーブル17は、ハウジング62を介して通される。こうして、第1光ファイバ110は第1光コネクタ66内に終端され、第2光ファイバ11は第2光コネクタ68内に終端され、第1導体112は第1接点ピン32内に終端され、残る3つの導体113、114、115は、それぞれの残る3つの接点ピン内に終端される。第1光コネクタ66および第2光コネクタ68は、LC基準に適合する。次に、接点ピン32と、第1光コネクタ66と、第2光コネクタ68とが、挿入部64内に取り付けられる。次に、仕上がった装置が図9に示すような外観になるように、カバー63が組立体に加えられる。挿入部64は絶縁材料からなる。次に、装置60が、次に説明されるように仮パッチコードに接続されてよい。
【００３２】
本発明の第3実施形態が、図11に示されている。図11は、一方の端部において拡大されたビームコネクタ10を有し、他方の端部において未拡大のビームコネクタ70を有する光電気パッチコード120の斜視図である。コネクタ10は、図1について説明されたものと同様である。導体70は、第1電気接点ソケット75と、第2電気接点ソケット76と、第3電気接点ソケット77と、第4電気接点ソケット75と、第1光ファイバソケット73と、第2光ファイバソケット74とを含む。カバー71は、キー72を含む。コネクタ70は、図9に示すコネクタ60に対して相補形である。したがって、ケーブルが現場設置されたコネクタ60で終端されたとき、パッチコード120が、パッチコードのコネクタ70をコネクタ60に取り付けるために用いられる。ここでは、図10のケーブル17が適切に終端されるまで、拡大されたビームコネクタ10が、他の装置に接続するために用いられることができる。界面においてコネクタ70に最も近い2つの光コネクタが、コネクタ10に関連付けされる2つの光コネクタにそれぞれの光ファイバの長さだけ接続される。同様に、コネクタ70と関連付けされる4つの導電部材が、コネクタ10と関連付けされる4つの導電部材にそれぞれの導体の長さだけ接続される。
【００３３】
本発明の第4実施形態が、図12に示されている。図12は、バルクヘッド装着可能光電気コネクタ80の斜視図である。図示のように、装置80の一方の端部は、ハウジング12および挿入部を含む、図1に示すコネクタ10の界面の形状を含み、他方の端部では、装置80は、図11のハウジング73およびカバー71の界面の形状を含む。ハウジング73に取り付けられているのは、バルクヘッドに装着するバルクヘッドプレート82である。界面においてハウジング12に最も近い2つの光コネクタが、カバー71に関連付けされた2つの光コネクタに、それぞれの光ファイバの短い長さだけ接続される。同様に、ハウジング12に関連付けされた4つの導電性部材が、カバー71に関連付けされた4つの導電性部材にそれぞれの導体の短い長さだけ接続される。したがって、装置80の一方の端部12は、拡大されたビーム性能を有し、装置80の他方の端部71は、拡大されたビーム性能を有さない。
【００３４】
本発明の第5実施形態が、図13に示されている。図13は、パッチコード140の斜視図である。図示のように、装置140はケーブル17を含み、このケーブル17の一方の端部において、装置140は、図11で説明された構成に従うコネクタ70を含み、装置140の他方の端部もコネクタ70を含む。界面において第1コネクタ70に最も近い2つの光コネクタが、第2コネクタ70に関連付けされる2つの光コネクタに、それぞれの光ファイバの長さだけ接続される。同様に、第1コネクタ70に関連付けされた4つの導電性部材が、第2コネクタ70に関連付けされた4つの導電性部材に、それぞれの導体の長さだけ接続される。コネクタ10を有する異なる2つのケーブルが現場で故障した場合に、装置140は、中流のパッチコードとして用いられることができる。
【００３５】
したがって、拡大されたビームコネクタの界面の形状は、2つの光アクセス位置(26、28)、2つの電気信号アクセス位置(33、34)、および2つの電力アクセス位置(30、32)をもたらす。拡大されたビームコネクタの性能は、ANSI/SMPTE 304M-1998に規定された性能条件を満たす。したがって、拡大されたビームコネクタは、ANSI/SMPTE 302M-1998に明記された突合せ継手(未拡大ビーム)コネクタに対する、拡大されたビームで置き換える解決法を与える。
【００３６】
明らかに、上記の教示に照らして本発明の多くの修正例および変形例が可能である。したがって、添付の特許請求の範囲内において、本発明は、本明細書に具体的に説明された以外のように実施可能であることを理解されたい。
【図面の簡単な説明】
【００３７】
【図１】光電気コネクタの側面図である。
【図２】界要素を示す図1のコネクタの部分端面図である。
【図３】ハウジングのキーの形状を示す図2のコネクタの部分端面図である。
【図４】界面要素の配置を示す図2のコネクタの部分端面図である。
【図５】位置合わせピンおよび位置合わせソケットを示す、図1のコネクタおよびバルクヘッド装着可能コネクタの断面側面図である。
【図６】補助電気接点ピンおよび補助電気接点ソケットを示す、図1のコネクタおよびバルクヘッド装着可能コネクタの断面側面図である。
【図７】低電圧接点ピンおよび低電圧接点ソケットを示す、図1のコネクタおよびバルクヘッド装着可能コネクタの断面側面図である。
【図８】2つの光ファイバコネクタを示す、図1のコネクタおよびバルクヘッド装着可能コネクタの断面側面図である。
【図９】拡大されたビームの光電子コネクタを一時的に修繕するために現場で用いられる、拡大されたビーム性能を有さない光電気コネクタの斜視図である。
【図１０】図9の光電気コネクタの部分拡大斜視図である。
【図１１】コードの一方の端部が、拡大されたビームコネクタを有し、このコードの他方の端部が、未拡大のビームコネクタを有する、光電気パッチコードの斜視図である。
【図１２】バルクヘッド装着可能光電気コネクタの斜視図である。
【図１３】コードの各端部が未拡大の同じビームコネクタを有する光電気パッチコードの斜視図である。
【符号の説明】
【００３８】
3    ねじ山形状部
5    ねじ山形状部
10    光電気コネクタ
12    ハウジング
12'    ハウジング
14    外板
14'    外板
16    圧力除去ブーツ
17    ケーブル
18    第1キー
20    第2キー
21    端部
22    位置合わせピン
22'    位置合わせピン
23    位置合わせピンソケット
24    位置合わせピンソケット
24'    位置合わせピンソケット
26    第1光ファイバコネクタ
26'    光コネクタ
28    第2光ファイバコネクタ
28'    光コネクタ
30    補助電気接点ソケット
30'    補助電気接点ピンソケット
32    補助電気接点ピン
32'    補助電気接点ピン
33    低電圧接点ソケット
33'    低電圧接点ピンソケット
34    低電圧接点ピン
34'    低電圧接点ピン
35    ソケットホルダ
37    ピンホルダ
40    挿入部
40'    挿入部
42    ピンホルダ
44    ソケットホルダ
50    ボールレンズ
52    フェルール
54    フェルールホルダ
56    透明カバー
60    光電気コネクタ
62    ハウジング
63    カバー
64    挿入部
65    キー
66    第1光コネクタ
68    第2光コネクタ
70    未拡大のビームコネクタ
71    カバー
72    キー
73    ハウジング
73    第1光ファイバソケット
74    第2光ファイバソケット
75    第1電気接点ソケット
75    第4電気接点ソケット
76    第2電気接点ソケット
77    第3電気接点ソケット
80    光電気コネクタ
82    バルクヘッドプレート
100    線
101    線
102    点
110    第1光ファイバ
111    第2光ファイバ
112    第1導体
113    第2導体
114    第3導体
115    第4導体
120    光電気パッチコード
140    パッチコード
【図１】
2009508178.tif 000003
【図２】
2009508178.tif 000004
【図３】
2009508178.tif 000005
【図４】
2009508178.tif 000006
【図５】
2009508178.tif 000007
【図６】
2009508178.tif 000008
【図７】
2009508178.tif 000009
【図８】
2009508178.tif 000010
【図９】
2009508178.tif 000011
【図１０】
2009508178.tif 000012
【図１１】
2009508178.tif 000013
【図１２】
2009508178.tif 000014
【図１３】
2009508178.tif 000015
【国際調査報告】
2009508178.tif 000016
2009508178.tif 000017